(57)【特許請求の範囲】
【請求項１】
圧縮機、室外熱交換器、室外送風機、４方弁、絞り装置を有する室外機と、室内熱交換器、室内送風機を有する室内機とを接続し、前記圧縮機の運転電流を検出する運転電流検知装置を設け、前記圧縮機の運転電流が、第１の設定時間以上継続して第１の電流設定値を超えると前記圧縮機の運転を停止し異常表示を行う制御装置を有する空気調和装置において、前記圧縮機の運転電流が、前記第１の設定時間より短い時間である第２の設定時間継続して前記第１の電流設定値より大きい第２の電流設定値を超えて流れ続けた場合には、前記圧縮機の運転を停止し、所定時間停止後再起動する制御装置を設けたことを特徴とする空気調和装置。
【請求項２】
圧縮機の起動から所定時間だけ非検知時間を設けたことを特徴とする請求項１に記載の空気調和装置。
【請求項３】
４方弁が切り換わった後に所定時間だけ非検知時間を設けたことを特徴とする請求項１または２に記載の空気調和装置。
【請求項４】
第２の設定時間に幅を設け、圧縮機の運転電流が第２の電流設定値を超える時間が、前記第２の設定時間の幅の範囲内にある場合に前記圧縮機の運転を停止し、所定時間停止後再起動する制御装置を設けた請求項１〜３のいずれか１項に記載の空気調和装置。
【請求項５】
連続運転中の圧縮機の運転電流の大きさにより、第２の電流設定値と第２の設定時間を変更することを特徴とする請求項１〜３のいずれか１項に記載の空気調和装置。
【請求項６】
室内吸込み空気温度を検知する室内吸込み空気温度検知装置と室内熱交換器温度を検知する室内熱交換器温度検知装置とを設け、第２の設定時間継続して運転電流が第２の電流設定値を超えて流れ続け、かつ、前記室内吸込み空気温度検知装置により検知した温度と前記室内熱交換器温度検知装置により検知した温度の温度差が所定時間、所定温度範囲にある場合に圧縮機の運転を停止し、所定時間停止後再起動する制御装置を設けたことを特徴とする請求項１〜３のいずれか１項に記載の空気調和装置。
【発明の詳細な説明】
【技術分野】
【０００１】
本発明は、空気調和装置の制御に関するものである。
【背景技術】
【０００２】
従来の空気調和装置では、電源回路に瞬時停電を検知する検知回路を設け、瞬時停電が発生した場合空気調和装置の運転を停止し、一定時間停止後圧縮機を再起動するように制御されている（例えば、特許文献１参照）。
【特許文献１】特開平７−１２００４５号公報
【発明の開示】
【発明が解決しようとする課題】
【０００３】
しかしながら、従来の空気調和装置では、１０ｍｓｅｃ以上で電圧０％（１００％電圧がドロップ）のような瞬時停電は検知できるが、１０ｍｓｅｃ以下の短い瞬時停電や、電圧が１００％ドロップせず５０％程度のドロップの場合検知できず、このような瞬時停電が発生した場合、進相コンデンサを用いて駆動する単相一定速タイプ（誘導電動機モデル）の圧縮機を使用している場合、圧縮機のロータが逆回転して冷媒が循環しなくなることがある。ただし逆回転した場合でも圧縮機にはある程度の電流が流れるので、電子制御装置は通常運転か逆回転運転かを判別できない。よって、冷媒が循環しないので空気調和が行われないといった問題が発生する。かつ、逆回転時には圧縮機が異常振動するのでこの振動による配管折れが発生したり、圧縮機メカ部へのオイル供給がなくなることによる圧縮機の破壊や冷媒循環による圧縮機モータ部の冷却がなくなることによるモータ焼損が発生する。
【０００４】
本発明は、前記従来の課題を解決するもので、圧縮機が逆回転したときには一旦停止し、あらためて正常運転に戻すことにより、快適性が損なわれることを抑制することができるとともに、圧縮機の逆回転による圧縮機や配管の損傷を防止することができる信頼性と快適性が高い空気調和機を提供することを目的とする。
【課題を解決するための手段】
【０００５】
前記従来の課題を解決するために、本発明の空気調和装置は、圧縮機、室外熱交換器、室外送風機、４方弁、絞り装置を有する室外機と、室内熱交換器、室内送風機を有する室内機とを接続し、前記圧縮機の運転電流を検出する運転電流検知装置を設け、前記圧縮機の運転電流が、第１の設定時間以上継続して第１の電流設定値を超えると前記圧縮機の運転を停止し異常表示を行う制御装置を有する空気調和装置において、前記圧縮機の運転電流が、前記第１の設定時間より短い時間である第２の設定時間以上継続して前記第１の電流設定値より大きい第２の電流設定値を超えて流れ続けた場合には、前記圧縮機の運転を停止し、所定時間停止後再起動する制御装置を設けたもので、電気回路が検知できない電源瞬時停電により、単相一定速度圧縮機が逆転する際に発生する起動電流を検知し、圧縮機を一旦停止してその後再起動する制御を設けて圧縮機が逆回転し続けることを防止し、圧縮機逆転により冷媒が循環しないことによる冷えない及び温まらないといった問題の回避や、圧縮機逆転運転時の圧縮機異常振動による配管折れや、圧縮機メカ部へのオイル供給がなくなることによる圧縮機の破壊や冷媒が循環しないことによる圧縮機モータ部の冷却なくなることによるモータ焼損を防止できる。
【発明の効果】
【０００６】
本発明の空気調和装置は、電気回路が検知できない電源瞬時停電による圧縮機の逆回転を防止し、信頼性と快適性が高い空気調和装置を提供することができる。
【発明を実施するための最良の形態】
【０００７】
第１の発明は、圧縮機、室外熱交換器、室外送風機、４方弁、絞り装置を有する室外機と、室内熱交換器、室内送風機を有する室内機とを接続し、前記圧縮機の運転電流を検出する運転電流検知装置を設け、前記圧縮機の運転電流が、第１の設定時間以上継続して第１の電流設定値を超えると前記圧縮機の運転を停止し異常表示を行う制御装置を有する空気調和装置において、前記圧縮機の運転電流が、前記第１の設定時間より短い時間である第２の設定時間継続して前記第１の電流設定値より大きい第２の電流設定値を超えて流れ続けた場合には、前記圧縮機の運転を停止し、所定時間停止後再起動する制御装置を設けたもので、電気回路が検知できない電源瞬時停電により、単相一定速度圧縮機が逆転する際に発生する起動電流を第２の電流設定値と第２の設定時間で検知し、その場合には圧縮機を一旦停止してその後再起動することにより、圧縮機逆転により冷媒が循環しないことによる冷えない及び温まらないといった問題の回避や、圧縮機逆転運転時の圧縮機異常振動による配管折れや、圧縮機メカ部へのオイル供給がなくなることによる圧縮機の破壊や冷媒が循環しないことによる圧縮機モータ部の冷却なくなることによるモータ焼損を防止でき、信頼性と、快適性が高い空気調和装置が供給できる。
【０００８】
また、第１の電流設定値は過負荷運転時の電流値よりわずかに大きい値（通常２〜３Ａ）であり、また第１の時間設定値は数秒（２〜３秒）の値が用いられ、通常の運転時には動作しないが、放熱妨害運転等で凝縮圧力が異常に上昇するのを防ぐ目的で使用されている。一方、電気回路が検知できない電源瞬時停電により、単相一定速度圧縮機が逆転する際に発生する起動電流は非常に大きくかつ非常に短い（１００ｍｓｅｃ〜２００ｍｓｅｃ程度）ので、第１の電流設定値より第２の電流設定値の値がおおきく、第１の時間設定値より第２の時間設定値の値が小さくすることにより、逆転発生時の電流を的確に検知でき、圧縮機を停止できる。
【０００９】
第２の発明は、圧縮機の起動から所定時間だけ非検知時間を設けたものである。圧縮機起動時には起動電流がかかり圧縮機逆転時の逆転起動電流と判別が難しいので、圧縮機始動後所定時間非検知とすることにより誤動作を防止でき、空気調査装置の快適性と信頼性が向上する。
【００１０】
第３の発明は、４方弁が切り換わった後に所定時間だけ非検知時間を設けたものである。暖房起動時及び除霜開始時、除霜復帰時等の４方弁切り換え時には圧力変動が大きく一時的に大きな電流がかかり、圧縮機逆転時の逆転起動電流と判別が難しいので、４方弁切り換え後所定時間非検知とすることにより誤動作を防止でき、空気調和装置の快適性と信頼性が向上する。
【００１１】
第４の発明は、第２の設定時間に幅を設け、圧縮機の運転電流が第２の電流設定値を超える時間が、前記第２の設定時間の幅の範囲内にある場合に逆転起動電流と判断し、この範囲を超えると過負荷電流と判断して圧縮機の運転を停止するものである。電源瞬時停電により、単相一定速度圧縮機が逆転する際に発生する起動電流は非常に大きくかつ非常に短い（１００〜２００ｍｓｅｃ程度）ので、検知時間に幅を設け、過負荷放熱妨害運転等で凝縮圧力が異常し電流値が上昇した場合に発生する電流（逆転する際に発生する起動電流より小さいが継続して比較的大きい電流が流れる）と区別することにより誤動作を防止でき、空気調和装置の快適性と信頼性が向上する。
【００１２】
第５の発明は、連続運転中の圧縮機の運転電流の値により、第２の電流設定値と第２の設定時間を変更するもので、正常運転時の電流が大きい場合は第２の電流設定値第２の設置時間を大きく、正常運転時の電流が小さい場合は第２の電流設定値と第２の設定時間を小さくするものである。逆転する際に発生する起動電流は瞬時停電が発生する前の正転運転時の電流に依存し、正転運転時の電流が大きい場合は、検知電流を大きく、検知時間を長く、正転運転時の電流が小さい場合は、検知電流を小さく、検知時間を短くするものである。低負荷運転時の逆転起動電流と高負荷運転時の電流値の差が比較的小さいので、運転時の負荷により検知電流と検知時間を変更することにより誤動作を防止でき、空気調和装置の快適性と信頼性が向上する。
【００１３】
第６の発明は、室内吸込み空気温度を検知する室内吸込み空気温度検知装置と室内熱交換器温度を検知する室内熱交換器温度検知装置とを設け、第２の設定時間継続して運転電流が第２の電流設定値を超えて流れ続け、かつ、前記室内吸込み空気温度検知装置により検知した温度と前記室内熱交換器温度検知装置により検知した温度の温度差が所定時間、所定温度範囲にある場合に圧縮機の運転を停止し、所定時間停止後再起動する制御装置を設けたものである。圧縮機が逆転すると冷媒が循環しないので、室内は送風状態になる。よって、熱交換器温度と吸込み温度がしだいに同一温度になるので、電流検知と温度検知両方満たした場合は圧縮機を停止することにより、誤動作をよりいっそう防止でき、空気調査装置の快適性と信頼性が向上する。
【００１４】
以下、本発明の実施の形態について、図面を参照しながら説明する。なお、本実施の形態によって本発明が限定されるものではない。
【００１５】
（実施の形態１）
図１は、本発明の実施の形態１における空気調和装置の冷凍サイクル図であり、図２は制御ブロック図、図３はフローチャートである。図１において、室外機１には圧縮機２と、室外熱交換器３と、室外送風機４と、冷媒液管５ａと、冷媒ガス管６ａと、冷暖房切り換え用の四方弁７と、絞り装置８が設けられている。又、室外機１には室外熱交換器３の温度を検出する室外熱交換器温度検知装置９と室外空気温度を検出する室外空気温度検知装置１０が設けられている。一方、室内機１１には室内送風機１２と、室内熱交換器１３と、室内熱交換器１３の温度を検出する室内熱交換器温度検知装置１４と、部屋の室温を検出する室内吸込み空気温度検知装置１５と、居住者が希望する運転モード（冷房、除湿または暖房）、室温、運転あるいは停止、風量及び風向などを設定できる運転設定装置１６が設けられている。そして、室外機１と室内機１１とは接続配管５ｂ，６ｂで接続されて冷凍サイクルが構成されている。
【００１６】
上記冷凍サイクルにおいて、冷房あるいは除湿運転時、圧縮機２から吐出された冷媒は四方弁７を介して室外熱交換器３へと流れ、室外送風機４により室外熱交換器３で室外空気と熱交換して凝縮液化し、次に冷媒配管５ａを通って絞り装置８を通過することにより減圧された冷媒は室内熱交換器１３で蒸発した後に、冷媒ガス管６ａを通り四方弁７を介して再び圧縮機２に吸入される。暖房運転時は圧縮機２から吐出された冷媒は四方弁７を介して室内熱交換器１３へと流れ、室内送風機１２により室内熱交換器１３で室内空気と熱交換して凝縮液化し、次に絞り装置８を通過することにより減圧された冷媒は室外熱交換器３で蒸発した後に、四方弁７を介して再び圧縮機２に吸入される。
【００１７】
次に、本発明の制御について図２，３を用いて説明する。図２において、本発明の空気調和装置の制御装置１７には、居住者が希望する運転モード切替スイッチ１８（冷房、除湿または暖房）と室内温度設定スイッチ１９と運転停止スイッチ２０と風量設定スイッチ２１と風向設定スイッチ２２で構成されている運転設定装置１６の信号を記憶する運転モード記憶装置２３と、室内熱交換器温度検知装置１４と室内吸込み空気温度検知装置１５
と、室外熱交換器検知装置９と、室外空気温度検知装置１０と、圧縮機２の運転電流を検知する圧縮機運転電流検知装置２４と、圧縮機２の運転電流設定値を記憶する第１圧縮機運転電流設定記憶装置２５ａ，第２圧縮機運転電流設定記憶装置２５ｂ（ここには過負荷運転時に停止する過電流設定値（２５ａ）と圧縮機逆転時に停止する逆転電流設定値（２５ｂ）が記憶されている）と、以上の信号を定期的に検出するためのサンプリング時間を設定する運転時間設定記憶装置２６、停止すべき過電流通電時間を記憶した第１時間設定記憶装置２７ａ，第２時間設定記憶装置２７ｂ（ここには過電流設定値（２５ａ）が連続して通電した場合に停止するための過電流時間設定値（２７ａ）と、逆転電流設定値（２５ｂ）が連続して通電した場合に停止するための逆転電流時間設定値（２７ｂ）が設定されている。）と、以上の信号をサンプリング時間毎受けて圧縮機２、室内送風機１２、室外送風機４等の運転を決定する判定装置２８と、判定装置２８の信号により圧縮機２や室内送風機１２、室外送風機４等を駆動する出力リレー回路２９とを有している。
【００１８】
居住者が運転モード切替スイッチ１８で冷房、除湿または暖房を選択し運転を開始すると、運転モード記憶装置２３、室内吸い込み温度検知装置１５、室内温度設定装置１９の信号により出力リレー回路２９が圧縮機２を駆動するが、図３において、居住者が運転モード切替スイッチ１８で冷房、除湿又は暖房を選択し（Ｓ２）、圧縮機２がサーモＯＮにより運転しているか判定する（Ｓ３）。そして、圧縮機運転電流検知装置２４により圧縮機運転電流Ｉｃｐを検知して（Ｓ４）、電流値Ｉｃｐが第２圧縮機運転電流設定記憶装置２５ｂに設定されている逆転電流設定値を超えると（ここでは例えばＩｃｐ≧３５Ａ）（Ｓ５）、タイマーＴａをセットする（Ｓ６）。そして、第２時間設定装置２７ｂに設定されている逆転電流時間設定値を超えて流れつづけると（ここでは例えばＴａ≧１００ｍｓｅｃ）（Ｓ７）、圧縮機２を停止し、所定時間経過後（ここでは例えば３分）（Ｓ８）、圧縮機を再起動する（Ｓ９）。
【００１９】
なお、圧縮機運転電流Ｉｃｐ（Ｓ４）が逆転電流設定値まで達しなくとも、第１圧縮機運転電流設定記憶装置２５ａに設定されている過電流設定値を超えると（ここでは例えばＩｃｐ≧３０Ａ）（Ｓ１０）、タイマーＴａをスタートする（Ｓ１１）。そして、第１時間設定装置２７ａに設定されている逆転電流時間設定値を超えると（ここでは例えばＴａ≧２ｓｅｃ）（Ｓ１２）、異常表示を行い（Ｓ１３）、機器を停止して（Ｓ１４）、電源リセットを行わない限り運転できないように制御している。この第１圧縮機運転電流設定記憶装置２５ａの過電流設定値（ここでは３０Ａ）は、過負荷状態で機器が運転した場合の電流値より少し大きな値（例えば最大電流値の１１５％の値）が設定されており、凝縮側の放熱に異常（例えば室外ファン停止）や圧縮機のロックの可能性が高いので、第１時間設定装置２７ａに設定されている逆転電流時間設定値を超えると（ここでは例えば２ｓｅｃ）直ちに停止し、異常警告をするようにしている。また、第１時間設定装置２７ａ（ここでは例えば２ｓｅｃ）の過電流時間設定値は、過電流設定値（ここでは３０Ａ）が継続して流れても機器が十分安全である値を設定している。
【００２０】
以上の様に、電気回路が検知できない電源瞬時停電により、単相一定速度圧縮機が逆転する際に発生する起動電流を第２圧縮機運転電流設定記憶装置と第２時間設定装置で検知し、圧縮機を一旦停止し，その後再起動する制御を設け、圧縮機逆転により冷媒が循環しないことによる冷えない及び温まらないといった問題の回避や、圧縮機逆転運転時の圧縮機異常振動による配管折れや、圧縮機メカ部へのオイル供給がなくなることによる圧縮機の破壊や冷媒が循環しないことによる圧縮機モータ部の冷却なくなることによるモータ焼損を防止でき、信頼性と快適性が高い空気調和装置を提供することができる。
【００２１】
（実施の形態２）
本発明にかかる空気調和装置の冷凍サイクル図、制御ブロック図、フローチャートは実施の形態１と同様なので説明は省略する。図４は逆転電流が発生したときの電流波形図で
ある。
【００２２】
図４にあるように、逆転した場合の圧縮機逆転起動電流値は通常運転時の電流値より高い電流が非常に短い時間だけ流れるので、第１の電流設定値である過電流設定値より第２の電流設定値である逆転電流設定値の方が大きく、第１の時間設定値である過電流時間設定値より第２の時間設定値であるの逆転電流時間設定値が小さい値に設定されている。
【００２３】
例えば過負荷時の過電流を検知し停止する過電流設定値（２５ａ）は３０Ａ、過電流設定値（２５ａ）が連続して通電した場合に停止するための過電流時間設定値（２７ａ）は２秒の値が設定されており、逆転時の電流を検知し停止する逆転電流設定値（２５ｂ）は３５Ａ、逆転電流設定値（２５ｂ）が連続して通電した場合に停止するための逆転電流時間設定値（２７ｂ）は１００ｍｓｅｃが設定されている。制御の流れは実施の形態１と同様なので省略するが、圧縮機ロックや凝縮器の放熱妨害等大きな電流が長時間流れつづけるものは異常な状態なので停止し異常表示をするが、圧縮機逆転発生時は電源の一時的な異常なので一旦停止しその後再起動するように制御している。
【００２４】
以上の様に、電気回路が検知できない電源瞬時停電により、単相一定速度圧縮機が逆転する際に発生する起動電流を第２の電流設定装置と第２の時間設定装置で検知し、圧縮機を一旦停止し，その後再起動する制御を設け、圧縮機逆転により冷媒が循環しないことによる冷えない及び温まらないといった問題の回避や、圧縮機逆転運転時の圧縮機異常振動による配管折れや、圧縮機メカ部へのオイル供給がなくなることによる圧縮機の破壊や冷媒が循環しないことによる圧縮機モータ部の冷却なくなることによるモータ焼損を防止でき、信頼性と、快適性が高い空気調和装置が供給できる。
【００２５】
（実施の形態３）
本発明にかかる空気調和装置の冷凍サイクル図は実施の形態１と同一のため説明は省略する。図５は制御ブロック図、図６フローチャート、図７は圧縮機正常起動時の電流波形図である。本発明は図７にあるように圧縮機起動時は圧縮機逆転時と同様に一時的に大きな電流が流れるために、起動と逆転の判別が困難であるので、圧縮機運転開始後、所定時間は逆転起動電流検知による停止を行わないようにしたものである。
【００２６】
本発明の制御について図５，６を用いて、特に実施の形態１と異なる部分について説明する。図５において、本発明の空気調和装置の制御装置１７には、実施の形態１の構成に加えて、圧縮機２起動からの非検知時間を設定した第３時間設定記憶装置２７ｃ（非検知時間設定値を記憶）を有している。
【００２７】
居住者が運転モード切替スイッチ１８で冷房、除湿または暖房を選択し運転を開始すると、運転モード記憶装置２３、室内吸い込み温度検知装置１５、室内温度設定装置１９の信号により出力リレー回路３０が圧縮機２を駆動するが、図６において、居住者が運転モード切替スイッチ１８で冷房、除湿又は暖房を選択し（Ｓ２）、圧縮機２の起動に当たってサーモＯＮ−ＯＦＦの判定を行う（Ｓ１５）。サーモがＯＮであれば、圧縮機２の起動としてＣ＝１を設定する（Ｓ１６）。そして、起動時Ｃ＝１であれば（Ｓ１７）タイマーＴｂをスタートする（Ｓ１８）とともに、Ｃをカウントアップする（Ｓ１９）。
【００２８】
タイマーＴｂがここでは例えば３秒以上になるまでは（Ｓ２１のＮ）、圧縮機運転電流検知装置２４により圧縮機運転電流Ｉｃｐを検知して（Ｓ２７）、第１圧縮機運転電流設定記憶装置２５ａに設定されている過電流設定値との比較を行い（Ｓ２８）、実施の形態１と同様に過電流設定値を超えるようなことがあれば停止する（Ｓ３２）。
【００２９】
そして、タイマーＴｂが３秒以上になれば（Ｓ２１のＹ）、圧縮機運転電流検知装置２
４により圧縮機運転電流Ｉｃｐを検知して（Ｓ２１）、第２圧縮機運転電流設定記憶装置２５ｂに設定されている逆転電流設定値との比較を行い（Ｓ２２）、実施の形態１と同様に過電流設定値又は逆転電流設定値を超えるようなことがあれば停止する（Ｓ２５，Ｓ３２）。
【００３０】
以上の様に、圧縮機２起動からの非検知時間を設定した第３時間設定記憶装置２７ｃ（非検知時間設定値を記憶）を設けることにより、圧縮機起動時の起動電流か逆転起動電流かの判別が難しい間は所定時間非検知とすることにより誤動作を防止でき、空気調査装置の快適性と信頼性が向上する。
【００３１】
（実施の形態４）
本発明にかかる空気調和装置の冷凍サイクル図は実施の形態１と同一のため説明は省略する。図８は制御ブロック図、図９フローチャートである。本発明は４方弁切り換え時に一時的に（非常に短い）大きな電流が流れるために、４方弁切り換え時の電流と逆転起動電流の判別が困難であるので、４方弁切り換え後、所定時間は電流検知による停止を行わないようにしたものである。
【００３２】
本発明の制御について図８，９を用いて説明する。図８において、本発明の空気調和装置の制御装置１７には、実施の形態１の構成に加えて、４方弁７切り換えからの非検知時間を設定した第４時間設定記憶装置２７ｄ（非検知時間設定値を記憶）を有している。
【００３３】
居住者が運転モード切替スイッチ１８で冷房、除湿または暖房を選択し運転を開始すると、運転モード記憶装置２３、室内吸い込み温度検知装置１５、室内温度設定装置１９の信号により出力リレー回路２９が圧縮機２を駆動するが、居住者が運転モード切替スイッチ１８で冷房、除湿又は暖房を選択し（Ｓ３４）、圧縮機２が連続運転中（サーモＯＮ中）（Ｓ３７）に、圧縮機運転電流検知装置２４の検出値Ｉｃｐ（Ｓ３９）が第２圧縮機運転電流設定記憶装置２５ｂに設定されている値（ここでは例えば３５Ａ≦Ｉｃｐ）を第２時間設定記憶装置２７ｂの設定を超えて流れつづける（ここでは例えば１００ｍｓｅｃ以上３５Ａ以上流れつづける）と（Ｓ４０，４１，４２）、圧縮機２を停止し、ある一定時間経過後（ここでは例えば３分）（Ｓ４３）、圧縮機２を再起動する（Ｓ４４）が、４方弁７切り換えからの非検知時間（タイマーＴｂ）を設定した第４非検知時間設定値２７ｄ（ここでは例えば３秒）間は（Ｓ３５〜３８）電流検知を行わないように制御する。
【００３４】
そして、タイマーＴｂが３秒以上になれば（Ｓ３８のＹ）、圧縮機運転電流検知装置２４により圧縮機運転電流Ｉｃｐを検知して（Ｓ３９）、第２圧縮機運転電流設定記憶装置２５ｂに設定されている逆転電流設定値との比較を行い（Ｓ４０）、実施の形態１と同様に過電流設定値又は逆転電流設定値を超えるようなことがあれば停止する（Ｓ４３，Ｓ５０）。
【００３５】
以上の様に、４方弁７切り換え時からの非検知時間を設定した第４時間設定記憶装置２７ｄ（非検知時間設定値を記憶）を設けることにより、４方弁切り換え時の圧力変動による一時的な大きな電流か逆転起動電流かの判別が難しい間は所定時間非検知とすることにより誤動作を防止でき、空気調査装置の快適性と信頼性が向上する。
【００３６】
（実施の形態５）
本発明にかかる空気調和装置の冷凍サイクル図は実施の形態１と同一のため説明は省略する。制御ブロック図は図２を使用する。図１０はフローチャートである。本発明は図４の電流波形図にあるように、逆転した場合の電流値は通常運転時の電流値より高い電流が非常に短い間（数十〜数百ｍｓｅｃオーダー）流れるので、検知時間設定値に幅を設け、大きな電流値が所定の範囲で継続的に流れた場合のみ、圧縮機逆転と判断し停止するよう
に制御したものである。
【００３７】
居住者が運転モード切替スイッチ１８で冷房、除湿または暖房を選択し運転を開始すると、運転モード記憶装置２３、室内吸い込み温度検知装置１５、室内温度設定装置１９の信号により出力リレー回路３０が圧縮機２を駆動するが、居住者が運転モード切替スイッチ１８で冷房、除湿又は暖房を選択し（Ｓ５２）、圧縮機２が連続運転中（サーモＯＮ中）（Ｓ５３）に、圧縮機運転電流検知装置２４の検出値Ｉｃｐ（Ｓ５４）が第２圧縮機運転電流設定記憶装置２５ｂに設定されている値（ここでは例えば３５Ａ≦Ｉｃｐ）を第２時間設定記憶装置２７ｂの間継続して流れつづけると（ここでは例えば５０ｍｓｅｃ〜２００ｍｓｅｃの間３５Ａ以上の電流が流れつづけると）（Ｓ５５〜５７）、圧縮機２を停止し、所定時間経過後（ここでは例えば３分）（Ｓ５８）、圧縮機２を再起動する（Ｓ５９）。
【００３８】
そして、圧縮機運転電流検知装置２４の検出値Ｉｃｐ（Ｓ５４）が第２圧縮機運転電流設定記憶装置２５ｂに設定されている値（ここでは例えば３５≦Ｉｃｐ）を第２時間設定記憶装置２７ｂの間以上継続すると機器を停止し（ここでは例えば２００ｍｓｅｃ以上３５Ａを超える電流が流れつづけると）（Ｓ６０）、異常表示を行い、電源リセットを行わない限り運転できないように制御している。
【００３９】
以上の様に、第２の設定時間に幅を設け、圧縮機の運転電流が第２の電流設定値を超える時間がこの幅の範囲内にある場合に逆転起動電流と判断し、この範囲を超えると過負荷電流と判断して圧縮機の運転を停止することにより、誤動作を防止でき、空気調和装置の快適性と信頼性が向上する。換言すれば、逆転電流検知時間を限定することにより、より確実に逆転電流を検知することが可能となる。
【００４０】
なお、ここでは第２の設定時間の上限が第１の時間設定を兼ね、第２の電流設定値が第１の電流設定値を兼ねている。
【００４１】
（実施の形態６）
本発明にかかる空気調和装置の冷凍サイクル図は実施の形態１と同一のため説明は省略する。図１１は制御ブロック図、図１２フローチャートである。本発明は、逆転した場合の逆転起動電流値は、通常運転時の電流値が高い場合はより高い逆転起動電流が通常運転時の電流値が低い場合より少し長く流れる傾向にあるので、通常運転時の電流により逆転検知時間設定値と逆転検知電流値を変更するように制御したものである。
【００４２】
本発明の制御について図１１，１２を用いて説明する。本発明の空気調和装置の制御装置１７には、居住者が希望する運転モード切替スイッチ１８（冷房、除湿または暖房）と室内温度設定スイッチ１９と運転停止スイッチ２０と風量設定スイッチ２１と風向設定スイッチ２２で構成されている運転設定装置１６の信号を記憶する運転モード記憶装置２３と、室内熱交換器温度検知装置１４と室内吸込み空気温度検知装置１５と、室外熱交換器検知装置９と、室外空気温度検知装置１０と、圧縮機２の運転電流を検知する圧縮機運転電流検知装置２４と、圧縮機２の運転電流設定値を記憶する第３圧縮機運転電流設定記憶装置２５ｃ，第４圧縮機運転電流設定記憶装置２５ｄ（ここには圧縮機逆転時に停止する逆転電流設定値（２５ｃ）と電流判定値（２５ｄ）が記憶されている）と、以上の信号を定期的に検出するためのサンプリング時間を設定する運転時間設定記憶装置２６、停止すべき過電流通電時間を記憶した第５時間設定記憶装置２７ｅ、第６時間設定記憶装置２７ｆ（ここには、逆転電流が連続して通電した場合に停止するための時間設定値（２７ｅ、２７ｆ）が設定されている。）と、以上の信号をサンプリング時間毎受けて圧縮機２、室内送風機１２、室外送風機４等の運転を決定する判定装置２８と判定装置２８の信号により、圧縮機２や室内送風機１２、室外送風機４等を駆動する出力リレー回路２９を有して
いる。
【００４３】
居住者が運転モード切替スイッチ１８で冷房、除湿または暖房を選択し運転を開始すると、運転モード記憶装置２３、室内吸い込み温度検知装置１５、室内温度設定装置１９の信号により出力リレー回路２９が圧縮機２を駆動するが、居住者が運転モード切替スイッチ１８で冷房、除湿又は暖房を選択し（Ｓ６７）、圧縮機２がＩｃｐ１の電流値で連続運転中に、圧縮機運転電流検知装置２４の検出値Ｉｃｐ２（Ｓ６９）が連続運転中の電流値Ｉｃｐ１より大きい（ここでは例えば逆転電流設定値（２５ｃ）の１．５倍、Ｉｃｐ１Ｘ１．５≦Ｉｃｐ２）が継続して流れ続けた場合、Ｉｃｐ１が第４圧縮機運転電流設定記憶装置２７ｄ（電流判定値）に設定されている値以上の場合は（ここでは２０Ａ≦Ｉｃｐ１）、第５時間設定装置２７ｅを超えて流れつづけると（ここでは例えば１００ｍｓｅｃ以上）停止し、Ｉｃｐ１が第４圧縮機運転電流設定記憶装置２７ｄに設定されている値未満の場合は（ここではＩｃｐ１＜２０Ａ）の場合は第６時間設定記憶装置２７ｆに設定されている時間（ここでは例えば５０ｍｓｅｃ〜１００ｍｓｅｃ）継続すると圧縮機２を停止し（Ｓ７１〜７５）、ある一定時間経過後（ここでは例えば３分）（Ｓ７５）、圧縮機２を再起動する（Ｓ７６）するように制御している。
【００４４】
以上の様に、通常運転時の電流により逆転検知時間設定値と逆転検知電流値を変更するように制御することにより、低負荷運転時の逆転起動電流と高負荷運転時の電流値の差が比較的小さいので、運転時の負荷により検知電流と検知時間を変更することにより確実に圧縮機逆転を判定して誤動作を防止でき、空気調和装置の快適性と信頼性が向上する。
【００４５】
（実施の形態７）
本発明にかかる空気調和装置の冷凍サイクル図は実施の形態１と同一のため説明は省略する。図１３は制御ブロック図、図１４フローチャートである。本発明は、圧縮機が逆転すると冷媒が循環しなくなるために圧縮機の運転中に、室内側の吸込み温度と室内熱交換器温度から冷媒の循環の有無を判断する制御を電流検知に追加し、電流と冷凍サイクル両方から逆転を検知し、より確実に圧縮機逆転を判断する制御を設けたものである。
【００４６】
居住者が運転モード切替スイッチ１８で冷房、除湿または暖房を選択し運転を開始すると、運転モード記憶装置２３、室内吸い込み温度検知装置１５、室内温度設定装置１９の信号により出力リレー回路２９が圧縮機２を駆動するが、居住者が運転モード切替スイッチ１８で冷房、除湿又は暖房を選択し（Ｓ７８）、圧縮機２が連続運転中（サーモＯＮ中）（Ｓ７９）に、圧縮機運転電流検知装置２４の検出値Ｉｃｐ（Ｓ８０）が第２圧縮機運転電流設定記憶装置２５ｂに設定されている値（ここでは例えば３５Ａ≦Ｉｃｐ）を第２時間設定装置２７ｂ超えて流れ続けると（ここでは例えば１００ｍｓｅｃ以上３５Ａ以上）（Ｓ８１〜８３）、室内熱交換器温度検知装置１４（Ｔｅ）と室内吸い込み温度検知装置１５（Ｔｉｓ）で検出（Ｓ８４）された温度差を算出（Ｓ８６）し、温度差が室内差温設定記憶装置３０の値（ここでは例えば３℃）以下を差温時間設定記憶装置３１の値以上継続（ここでは例えば３分以上継続）すると（Ｓ８７）、圧縮機２を停止し（Ｓ８８）、ある一定時間経過後（ここでは例えば３分）、圧縮機２を再起動する（Ｓ８９）ように制御している。
【００４７】
以上の様に、室内吸込み空気温度検知装置と室内熱交換器温度検知装置とを設けて、室内側の吸込み空気温度と室内熱交換器温度から冷媒の循環の有無を判断する制御を電流検知に追加し、電流と冷凍サイクル両方から逆転を検知し、より確実に圧縮機逆転を判断する制御を設けることにより、誤動作をよりいっそう防止でき、空気調査装置の快適性と信頼性が向上する。
【産業上の利用可能性】
【００４８】
圧縮機が逆回転したときには一旦停止し、あらためて正常運転に戻すことにより、快適性が損なわれることを抑制することができるとともに、圧縮機の逆回転による圧縮機や配管の損傷を防止することができるため、信頼性と快適性が高い空気調和機を提供することができる。
【図面の簡単な説明】
【００４９】
【図１】本発明の実施の形態における空気調和装置の冷凍サイクル図
【図２】本発明の実施の形態１、２、５における制御ブロック図
【図３】本発明の実施の形態１、２におけるフローチャート
【図４】本発明の実施の形態における空気調和装置の圧縮機逆転起動電流波形図
【図５】本発明の実施の形態３における制御ブロック図
【図６】本発明の実施の形態３におけるフローチャート
【図７】本発明の実施の形態における空気調和装置の圧縮機起動電流波形図
【図８】本発明の実施の形態４における制御ブロック図
【図９】本発明の実施の形態４におけるフローチャート
【図１０】本発明の実施の形態５におけるフローチャート
【図１１】本発明の実施の形態６における制御ブロック図
【図１２】本発明の実施の形態６におけるフローチャート
【図１３】本発明の実施の形態７における制御ブロック図
【図１４】本発明の実施の形態７におけるフローチャート
【符号の説明】
【００５０】
１  室外機
２  圧縮機
３  室外熱交換器
４  室外送風機
７  四方弁
８  絞り装置
１１  室内機
１２  室内送風機
１３  室内熱交換器
１４  室内熱交換器温度検知装置
１５  室内吸込み空気温度検知装置
１７  電子制御装置
２４  圧縮機運転電流検知装置
２５ａ，ｂ，ｃ，ｄ  圧縮機電流設定記憶装置
２６  運転時間設定記憶装置
２７ａ，ｂ，ｃ，ｄ，ｅ，ｆ  時間設定記憶装置
２８  判定装置
３０  室内差温設定記憶装置
３１  差温検知時間設定記憶装置
【図１】
0004844147.tif 000002
【図２】
0004844147.tif 000003
【図３】
0004844147.tif 000004
【図４】
0004844147.tif 000005
【図５】
0004844147.tif 000006
【図６】
0004844147.tif 000007
【図７】
0004844147.tif 000008
【図８】
0004844147.tif 000009
【図９】
0004844147.tif 000010
【図１０】
0004844147.tif 000011
【図１１】
0004844147.tif 000012
【図１２】
0004844147.tif 000013
【図１３】
0004844147.tif 000014
【図１４】
0004844147.tif 000015